(57)【要約】【課題】手軽に卵の貯蔵日数を管理できる卵貯蔵容器及び卵貯蔵容器を備えた冷蔵庫を提供する。【解決手段】扉棚１７の一画に卵を立てて保持する収納部１８を設置した卵貯蔵容器１９を設け、卵貯蔵容器１９の前面壁上端の補強部２０に指示部材２１，２２を挟持させて摺動可能に取り付け、指示部材２１，２２の移動範囲の卵貯蔵容器１９の前面壁に日付を示す目盛りを表示して、卵の貯蔵開始日を指示部材２１，２２で指示しておくことにより、長期間使用を忘れて品質に疑問のある卵を食してトラブルを引き起こすことを防止する。【選択図】　図５
2004069078.tif 000002
【特許請求の範囲】
【請求項１】
卵を収納する収納部と、前記収納部の外郭に表示された日付を示す目盛りと、前記収納部の外郭面上を摺動して前記目盛りの任意の日付を指示する指示部材とを備えた卵貯蔵容器。
【請求項２】
卵を収納する収納部と、前記収納部を収容するケースと、前記ケースの外郭に表示された日付を示す目盛りと、前記ケースの外郭面上を摺動して前記目盛りの任意の日付を指示する指示部材とを備えた卵貯蔵容器。
【請求項３】
指示部材は外郭面に突出した突出部を挟持ながら摺動する請求項１または請求項２に記載の卵貯蔵容器。
【請求項４】
指示部材を複数設けた請求項１から請求項３のいずれか一項に記載の卵貯蔵容器。
【請求項５】
複数の指示部材は異なる色彩を施した請求項４に記載の卵貯蔵容器。
【請求項６】
庫内に請求項１から請求項５のいずれか一項に記載の卵貯蔵容器を備えた冷蔵庫。
【請求項７】
扉内側に備えた扉棚と、前記扉棚に収容した卵を収納する収納部と、前記扉棚の前面壁に表示された１日から３１日までの日付を示す目盛りと、前記扉棚の前面壁上端に突出して形成された補強部と、前記補強部を挟持しながら摺動して前記目盛りの任意の日付を指示する指示部材とよりなる卵貯蔵容器を備えた冷蔵庫。
【発明の詳細な説明】
【０００１】
【発明の属する技術分野】
本発明は卵貯蔵容器及び卵貯蔵容器を庫内に備えた冷蔵庫に関するものである。
【０００２】
【従来の技術】
従来、家庭において生鮮食品である卵を貯蔵する方法としては、家庭用の冷蔵庫の庫内に予め備え付けられた卵貯蔵容器か、若しくは市販の台所用品としての容器に収納して冷蔵温度で冷却貯蔵することが一般的である。
【０００３】
卵の貯蔵期間としては、新鮮なもので、加熱して食用とするのであれば常温でも１ヶ月程度の貯蔵が可能であるが、特に夏季など貯蔵環境の厳しい場合などは食中毒などの被害を恐れて低温下での貯蔵が可能である冷蔵庫に依存することがほとんどである。
【０００４】
【発明が解決しようとする課題】
しかしながら、上記従来の例においては、卵の購入者は冷蔵庫の貯蔵能力を過信する傾向があり、冷蔵庫に保管すれば多少貯蔵期間が長くなっても大丈夫と考えるケースが少なくない。そして、卵は個人購入に至るまでの流通期間や保管環境が不明であることが多いため、冷蔵庫に保管しても、保管時点での品質により貯蔵可能期間が左右されることが考えられる。したがって、当然のことながら冷蔵庫に保管後も極力早めに食し、相当期間の経過した卵は食用を敬遠するなどの未然の対応が安全面で望ましい。
【０００５】
また、冷蔵庫を過信しない意識を持った購入者であっても、購入時点での卵の品質を把握することは簡単ではないので、自衛手段としてはせめて冷蔵庫に収納後の保管日数を管理して、極力古い卵を食さないようにすることが考えられる。
【０００６】
このように、冷蔵庫に長い期間保管された品質的に疑問のある卵を食することのないように、購入日や保管日を記憶したり、メモに記録したり、各自で工夫はするものの、忘れたり、面倒であったりして誰でも手軽に実践できることではない、という問題点があった。
【０００７】
本発明は従来の課題を解決するもので、卵の購入者が手軽に、簡単な方法で購入日などの日付を明示でき、使用者に対して卵の適正な期間内での消費を促すことのできる卵貯蔵容器及び卵貯蔵容器を備えた冷蔵庫を提供することを目的とする。
【０００８】
【課題を解決するための手段】
本発明の請求項１に記載の卵貯蔵容器の発明は、卵を収納する収納部と、前記収納部の外郭に表示された日付を示す目盛りと、前記収納部の外郭面上を摺動して前記目盛りの任意の日付を指示する指示部材とを備えたものであり、卵を保管した日付等に合わせて指示部材を該当する目盛りの位置にセットしておけば、保管日を忘れることなく、またメモなどをつけておく手間も省け、この日付を認識することにより適正な貯蔵期間内に安全に卵を食用することができる。
【０００９】
請求項２に記載の卵貯蔵容器の発明は、卵を収納する収納部と、前記収納部を収容するケースと、前記ケースの外郭に表示された日付を示す目盛りと、前記ケースの外郭面上を摺動して前記目盛りの任意の日付を指示する指示部材とを備えたものであり、卵を保管した日付等に合わせて指示部材を該当する目盛りの位置にセットしておけば、購入日を忘れることなく、またメモなどをつけておく手間も省け、この日付を認識することにより適正な貯蔵期間内に安全に卵を食用することができる。
【００１０】
また、卵の収納部は外郭を形成するケースに収められているので任意の保管場所や冷蔵庫内などに体裁よく整理した形態で収納管理できる。
【００１１】
請求項３に記載の卵貯蔵容器の発明は、請求項１または２に記載の発明において、指示部材は外郭面に突出した突出部を挟持ながら摺動するものであり、外力で簡単に外れることがなく簡便な摺動作用が得られる。
【００１２】
請求項４に記載の卵貯蔵容器の発明は、請求項１から請求項３のいずれか一項に記載の発明において、指示部材を複数設けたものであり、卵の収納個数が多い容器などにあって、異なる複数の日に保管した卵がある場合にそれぞれの日付を指示することができ、区分け管理が可能となる。
【００１３】
請求項５に記載の卵貯蔵容器の発明は、請求項４に記載の発明において、複数の指示部材は異なる色彩を施したものであり、それぞれの日付と対応させる指示部材の色を認識することによって、異なる複数の日に保管した卵を混同することなく区分け管理できる。
【００１４】
請求項６に記載の卵貯蔵容器を備えた冷蔵庫の発明は、庫内に請求項１から請求項５のいずれか一項に記載の卵貯蔵容器を備えたものであり、一般的に常用される卵の冷蔵庫での貯蔵に対して、一定の節度を使用者に促しながら管理を啓蒙することが可能となり、食用に対する安全性を高めることができる。
【００１５】
請求項７に記載の卵貯蔵容器を備えた冷蔵庫の発明は、扉内側に備えた扉棚と、前記扉棚に収容した卵を収納する収納部と、前記扉棚の前面壁に表示された１日から３１日までの日付を示す目盛りと、前記扉棚の前面壁上端に突出して形成された補強部と、前記補強部を挟持しながら摺動して前記目盛りの任意の日付を指示する指示部材とよりなるものであり、冷蔵庫の庫内で使い勝手のよい扉棚での卵の保管日の管理が簡便に可能となり、使用頻度の高い卵の使い勝手を維持しながら、指示部材の操作性がよく見やすい位置で食用安全性の日常管理を手軽に行うことができる。
【００１６】
【発明の実施の形態】
以下、本発明による卵貯蔵容器及び卵貯蔵容器を備えた冷蔵庫の実施の形態について、図面を参照しながら説明する。
【００１７】
（実施の形態１）
図１は、本発明の実施の形態１による卵貯蔵容器の斜視図である。図２は、同実施の形態の卵貯蔵容器の要部斜視図である。
【００１８】
図１，図２において、卵貯蔵容器１は卵（図示せず）を立てて保持する複数の貫通孔２を有する収納部３と、収納部３の一側面の上端部に水平方向に形成された突出部４と、突出部４に取り付けられた移動可能な指示部材５とで構成されている。
【００１９】
指示部材５は突出部４をガイド面として挟持して水平方向に任意の位置に摺動し、停止できる。また、突出部４の下部で指示部材５が摺動できる範囲において、収納部３の該当する側面には日付を示す目盛り６が表示されている。
【００２０】
日付を示す目盛り６は１日から３１日までの５日ごとの日付と目安となるポイント表示が施されているが、見易い表示であれば他の目安表示や日付を直接表示してもよい。指示部材５は目盛り６の日付位置を明確に指示できるよう表面にポイントとなる印や形状が施されている。
【００２１】
以上のような構成において、収納部３に卵を収納して卵貯蔵容器１を適当な保管場所に保管する場合において、指示部材５を突出部４に沿って摺動させ、卵の保管開始日を示す日付にインジケーターとしてセットしておけば、自身で保管開始日を覚えておかなくても、またメモなどに書いて残しておいたり、添えておいたりしなくても、使用者は現在の日付との差により容易に保管された卵の保管経過日数を知ることができる。
【００２２】
このため、任意の場所で、煩わしさがなく手軽に、目で見て卵の保管管理を行うことができ、保管日数を忘れて長い期間放置してしまい、品質的に問題の生じた卵を食して、健康面でトラブルを引き起こすことを防止できる。
【００２３】
指示部材５は突出部４に挟持された形で摺動するので外力が掛かっても容易に外れることがなく、卵貯蔵容器１を持って移動させる際に特別な注意を払うことないので使い勝手がよい。
【００２４】
（実施の形態２）
図３は、本発明による実施の形態２の卵貯蔵容器の斜視図である。
【００２５】
図３において、卵貯蔵容器７は卵を立てて保持する複数の貫通孔８を有する収納部８と、収納部８を収容するケース９と、ケース９の上端フランジ部に補強構造を兼ねて肉厚形状に突出した突出部１０に取り付けられた移動可能な指示部材１１，１２とで構成されている。
【００２６】
指示部材１１，１２は異なる色彩を施されている。
【００２７】
また、ケース９の側面のうち、指示部材１１，１２が取り付けられた一側面には日付を示す目盛り１３が表示されている。
【００２８】
以上のような構成において、収納部８に卵を収納して卵貯蔵容器７を適当な保管場所に保管する場合において、指示部材１１，１２を突出部１０に沿って摺動させ、卵の保管開始日を示す日付にインジケーターとしてセットしておけば、自身で保管開始日を覚えておかなくても、またメモなどに書いて残しておいたり、添えておいたりしなくても、使用者は現在の日付との差により容易に保管された卵の保管経過日数を知ることができる。
【００２９】
また、卵貯蔵容器７の卵の収容個数が比較的多い場合など、保管日の異なる卵が収納されるケースには二つの指示部材１１，１２を使い分けてそれぞれの保管日を示す目盛りにセットすれば保管日を混同してしまうことがない。
【００３０】
ここで、指示部材１１，１２は色彩を異なるものとしているため、見分けが容易につき混同防止に一層役立つ。
【００３１】
なお、指示部材１１，１２は色彩を異なるものとするのが目立ちやすいが、それ以外の方法、例えば形状を明らかに区別するなど他の方法であっても差し支えない。
【００３２】
このように、本実施の形態によれば任意の場所で、手軽に複数の保管開始日の卵を管理することができ、保管日数を忘れて長い期間放置してしまい、品質的に問題の生じた卵を食して、健康面でトラブルを引き起こすことを防止できる。
【００３３】
また、卵の収納部８は別体のケース９に収容されていることから、収納場所での整理がしやすく、外観上の見栄えもよい。さらに、卵に外力が加わって割れたりするトラブルが減り、卵に付着したゴミや異物もケースで受けられ衛生的でもあり、特に家庭用の冷蔵庫の庫内で他の食品類と同時に保管する場合などには適している。
【００３４】
指示部材１１，１２はケース９の補強のために通常設けられる上端面の肉厚成型されたフランジ部を突出部１０として利用するので、収納部８を特別な形状に成形しなくても合理的にインジケーターの機能を果たすことができる。
【００３５】
（実施の形態３）
図４は、本発明による実施の形態３の卵貯蔵容器を備えた冷蔵庫の正面図である。図５は、同実施の形態の卵貯蔵容器を備えた冷蔵庫の要部正面図である。
【００３６】
図４，図５において、冷蔵庫１４の上部には冷蔵室１５が形成されている。冷蔵室１５の開口部を開閉する扉１６の庫内側には扉棚１７が支持されている。扉棚１７の一画には卵を立てて保持する収納部１８を着脱自在に配置した卵貯蔵容器１９が構成されており、卵貯蔵容器１９の前面壁の上端フランジに突出した補強部２０には二つの指示部材２１，２２が摺動自在に取り付けられている。また、卵貯蔵容器１９の指示部材２１，２２が移動する範囲の前面壁には日付を示す目盛り２３が表示されている。
【００３７】
以上のような構成において、収納部１８に卵を収納して扉棚の卵貯蔵容器１９に保管する場合において、指示部材２１，２２を補強部２０に沿って摺動させ、卵の保管開始日を示す日付にインジケーターとしてセットしておけば、自身で保管開始日を覚えておかなくても、またメモなどに書いて残しておいたり、添えておいたりしなくても、使用者は現在の日付との差により容易に保管された卵の保管経過日数を知ることができる。
【００３８】
また、卵貯蔵容器１９の卵の収容個数が比較的多い場合など、保管日の異なる卵が収納されるケースには二つの指示部材２１，２２を使い分けてそれぞれの保管日を示す目盛りにセットすれば保管日を混同してしまうことがない。
【００３９】
ここで、指示部材２１，２２は色彩を異なるものとしているため、見分けが容易につき混同防止に一層役立つ。
【００４０】
このように、本実施の形態によれば冷却保管ができる冷蔵庫で、かつ扉１６を開放して見渡せるため使い勝手のよい扉棚１７で、手軽に複数の保管開始日の卵を管理することができ、冷蔵庫への保管のために安心感があるため保管日数を忘れて長い期間放置してしまい、品質的に問題の生じた卵を食して、健康面でトラブルを引き起こすことを防止できる。
【００４１】
また、指示部材２１，２２は扉棚１７の補強部２０をそのまま利用して取り付けられており、特別な構造を追加する必要がなく合理的であり、外観上もすっきりして見栄えがよい。
【００４２】
【発明の効果】
以上説明したように本発明の請求項１に記載の発明は、卵を収納する収納部と、前記収納部の外郭に表示された日付を示す目盛りと、前記収納部の外郭面上を摺動して前記目盛りの任意の日付を指示する指示部材とを備えたので、卵の貯蔵期間を目で見て管理でき、日付を認識することにより適正な貯蔵期間内に安全に卵を食用し、健康面でのトラブル発生を予防できる。
【００４３】
また、請求項２に記載の卵貯蔵容器の発明は、卵を収納する収納部と、前記収納部を収容するケースと、前記ケースの外郭に表示された日付を示す目盛りと、前記ケースの外郭面上を摺動して前記目盛りの任意の日付を指示する指示部材とを備えたので、卵の貯蔵期間を目で見て管理でき、日付を認識することにより適正な貯蔵期間内に安全に卵を食用し、健康面でのトラブル発生を予防できる。
【００４４】
また、卵の収納部は外郭を形成するケースに収められているので体裁よく整理した形態で収納管理できる。
【００４５】
また、請求項３に記載の卵貯蔵容器の発明は、請求項１または２に記載の発明において、指示部材は外郭面に突出した突出部を挟持ながら摺動するので、外力で簡単に外れることがなく簡便な摺動作用が得られる。
【００４６】
また、請求項４に記載の卵貯蔵容器の発明は、請求項１から請求項３のいずれか一項に記載の発明において、指示部材を複数設けたので、異なる複数の日に保管した卵を区分け管理できる。
【００４７】
また、請求項５に記載の卵貯蔵容器の発明は、請求項４に記載の発明において、複数の指示部材は異なる色彩を施したので、異なる複数の日に保管した卵を混同することなく区分け管理できる。
【００４８】
また、請求項６に記載のを備えた冷蔵庫の発明は、庫内に請求項１から請求項５のいずれか一項に記載の卵貯蔵容器を備えたので、一般的に常用される卵の冷蔵庫での貯蔵に対して、一定の節度を使用者に目視で促しながら管理を啓蒙することが可能となり、食用に対する安全性を高めることができる。
【００４９】
また、請求項７に記載の卵貯蔵容器を備えた冷蔵庫の発明は、扉棚に収容した卵を収納する収納部と、扉棚の前面壁に表示された１日から３１日までの日付を示す目盛りと、扉棚の前面壁上端に突出して形成された補強部と、補強部を挟持しながら摺動して目盛りの任意の日付を指示する指示部材とよりなるので、使用頻度の高い卵の使い勝手を維持しながら、指示部材の操作性がよく見やすい位置で手軽に食用安全性を日常管理できる。
【図面の簡単な説明】
【図１】本発明の実施の形態１による卵貯蔵容器の斜視図
【図２】同実施の形態の卵貯蔵容器の要部斜視図
【図３】本発明の実施の形態２による卵貯蔵容器の斜視図
【図４】本発明の実施の形態３による卵貯蔵容器を備えた冷蔵庫の正面図
【図５】同実施の形態の卵貯蔵容器を備えた冷蔵庫の要部正面図
【符号の説明】
１，７，１９　卵貯蔵容器
３，８，１８　収納部
４，１０　突出部
５，１１，１２，２１，２２　指示部材
６，１３，２３　日付を示す目盛り
９　ケース
１４　冷蔵庫
１６　扉
１７　扉棚
２０　補強部
【図１】
2004069078.tif 000003
【図２】
2004069078.tif 000004
【図３】
2004069078.tif 000005
【図４】
2004069078.tif 000006
【図５】
2004069078.tif 000007